【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
（Ａ）フッ素系オイル及び（Ｂ）一般式（i）
【化１】
2007126677.tif 000001
（式中Ｚは、式（ii）
【化２】
2007126677.tif 000002
で示されるｍは１〜５０の整数であるフッ化エーテル基を表し、
Ｙは一般式（iii）
【化３】
2007126677.tif 000003
で示されるｎは１〜３０の整数である脂肪族ジアミド基、
又は、一般式（iv）
【化４】
2007126677.tif 000004
で示される脂肪族環状ジアミド基、
又は一般式（v）
【化５】
2007126677.tif 000005
で示される芳香族ジアミド基、
又は一般式（vi）
【化６】
2007126677.tif 000006
で示される環式ジアミド基を表す。）
で表わされる添加剤を含むピボットアッシー軸受用フッ素系オイル組成物。
【請求項２】
（Ａ）フッ素系オイルが、一般式（vii）
【化７】
2007126677.tif 000007
（式中ｐは６〜１００の整数を表す）で示されるフッ化エーテルであり、
添加剤(Ｂ)が一般式（i）において、Ｚが一般式（ii）
【化８】
2007126677.tif 000008
（式中ｍは１〜５０の整数を表す）及びＹが一般式（iii）
【化９】
2007126677.tif 000009
（式中ｎは１〜３０の整数を表す）で表わされるフッ化エーテルと脂肪族ジアミド系添加剤である請求項１に記載されたピボットアッシー軸受用フッ素系オイル組成物。
【請求項３】
（Ａ）フッ素系オイルが、一般式（vii）
【化１０】
2007126677.tif 000010
（式中ｐは６〜１００の整数を表す）で示されるフッ化エーテルであり、添加剤(Ｂ) が一般式（i）において、Ｚが一般式（ii）
【化１１】
2007126677.tif 000011
（式中ｍは１〜５０の整数を表す）及びＹが一般式（iv）
【化１２】
2007126677.tif 000012
で表わされるフッ化エーテルと脂肪族環状ジアミド系添加剤である請求項１に記載されたピボットアッシー軸受用フッ素系オイル組成物。
【請求項４】
（Ａ）フッ素系オイルが、一般式（vii）
【化１３】
2007126677.tif 000013
（式中ｐは６〜１００の整数を表す）で示されるフッ化エーテルであり、添加剤(Ｂ) が一般式（i）において、Ｚが一般式（ii）
【化１４】
2007126677.tif 000014
（式中ｍは１〜５０の整数を表す）及びＹが一般式（v）
【化１５】
2007126677.tif 000015
で表わされるフッ化エーテルと芳香族ジアミド系添加剤である請求項１に記載されたピボットアッシー軸受用フッ素系オイル組成物。
【請求項５】
（Ａ）フッ素系オイルが、一般式（vii）
【化１６】
2007126677.tif 000016
（式中ｐは６〜１００の整数を表す）で示されるフッ化エーテルであり、添加剤(Ｂ)が一般式（i）において、Ｚ が一般式（ii）
【化１７】
2007126677.tif 000017
（式中ｍは１〜５０の整数を表す）及びＹが一般式（vi）
【化１８】
2007126677.tif 000018
で表わされるフッ化エーテルと環式ジアミド系添加剤である請求項１に記載されたピボットアッシー軸受用フッ素系オイル組成物。
【請求項６】
成分（Ａ）のフッ素系オイル  対（Ｂ）の添加剤が質量比で、８０〜９９．９：２０〜０．１含んでなる請求項１ないし請求項５のいずれかひとつに記載されたピボットアッシー軸受用フッ素系オイル組成物。
【手続補正２】
【補正対象書類名】明細書
【補正対象項目名】０００４
【補正方法】変更
【補正の内容】
【０００４】
本発明者は、前記した好ましい特性を有する軸受を開発するために種々研究を重ねた結果、特定の化学構造式をもつ添加剤とフッ素系オイルを含むことを特徴とするフッ素系オイル組成物をピボットアッシー用軸受内に封入すれば良い結果が得られることを見出し、この知見に基づいてピボットアッシー軸受用フッ素系オイル組成物を完成するに至った。 すなわち、本発明は、（Ａ）フッ素系オイル及び（Ｂ）一般式（i）    
【化１９】
2007126677.tif 000019
（式中Ｚは、式（ii）    
【化２０】
2007126677.tif 000020
で示されるｍは１〜５０の整数であるフッ化エーテル基を表し、Ｙは一般式（iii）    
【化２１】
2007126677.tif 000021
で示されるｎは１〜３０の整数である脂肪族ジアミド基、又は、一般式（iV）    
【化２２】
2007126677.tif 000022
で示される脂肪族環状ジアミド基、又は一般式（V）    
【化２３】
2007126677.tif 000023
で示される芳香族ジアミド基、又は一般式（Vi）    
【化２４】
2007126677.tif 000024
で示される環式ジアミド基を表す。）で表わされる添加剤を含むピボットアッシー軸受用フッ素系オイル組成物である。
【手続補正３】
【補正対象書類名】明細書
【補正対象項目名】０００５
【補正方法】変更
【補正の内容】
【０００５】
また、本発明は、（Ａ）フッ素系オイルが、一般式（Vii）    
【化２５】
2007126677.tif 000025
（式中ｐは６〜１００の整数を表す）で示されるフッ化エーテルであり、添加剤 (Ｂ) が一般式（ｉ）において、Ｚが一般式（ii）    
【化２６】
2007126677.tif 000026
（式中ｍは１〜５０の整数を表す）及びＹが一般式（iii）    
【化２７】
2007126677.tif 000027
（式中ｎは１〜３０の整数を表す）で表わされるフッ化エーテル脂肪族ジアミド系添加剤であるピボットアッシー軸受用フッ素系オイル組成物である。さらに、本発明は、  （Ａ）フッ素系オイルが、一般式（Vii）    
【化２８】
2007126677.tif 000028
（式中ｐは６〜１００の整数を表す）で示されるフッ化エーテルであり、添加剤 (Ｂ) が一般式（ｉ）において、Ｚが一般式（ii）    
【化２９】
2007126677.tif 000029
（式中ｍは１〜５０の整数を表す）及びＹが一般式（iV）    
【化３０】
2007126677.tif 000030
で表わされるフッ化エーテルと脂肪族環状ジアミド系添加剤であるピボットアッシー軸受用フッ素系オイル組成物である。またさらに、本発明は、（Ａ）フッ素系オイルが、一般式（Vii）    
【化３１】
2007126677.tif 000031
（式中ｐは６〜１００の整数を表す）で示されるフッ化エーテルであり、添加剤 (Ｂ) が一般式（ｉ）において、Ｚが一般式（ii）    
【化３２】
2007126677.tif 000032
（式中ｍは１〜５０の整数を表す）及びＹが一般式（V）    
【化３３】
2007126677.tif 000033
で表わされるフッ化エーテルと芳香族ジアミド系添加剤であるピボットアッシー軸受用フッ素系オイル組成物である。さらに、本発明は、  （Ａ）フッ素系オイルが、一般式（Vii）    
【化３４】
2007126677.tif 000034
（式中ｐは６〜１００の整数を表す）で示されるフッ化エーテルであり、添加剤 (Ｂ) が一般式（ｉ）において、Ｚが一般式（ii）    
【化３５】
2007126677.tif 000035
（式中ｍは１〜５０の整数を表す）及びＹが一般式（Vi）    
【化３６】
2007126677.tif 000036
で表わされるフッ化エーテルと環式ジアミド系添加剤であるピボットアッシー軸受用フッ素系オイル組成物である。また、本発明は、成分（Ａ）のフッ素系オイル  対（Ｂ）の添加剤が質量比で、８０〜９９．９：２０〜０．１含んでなる場合には、ピボットアッシー軸受用としてより好適に用いることが出来る。